(57)【要約】  ガス容器の安全バルブに関する発明が開示される。開示されたガス容器の安全バルブは：本体の内部に充填されたガスを排出させるバルブ部およびバルブ部に備えられて本体の内部圧力に連動してガス流路を遮断するガス遮断部を含み、ガス遮断部はバルブ部に備えられる遮断作動部と、遮断作動部にスライド移動可能に備えられて選択的にガス流路を遮断する遮断ピン部材および遮断作動部に結合して遮断ピン部材の離脱を防止する離脱防止キャップを含むことを特徴とする。【選択図】図３
2019510181.tif 000002
【特許請求の範囲】
【請求項１】
本体の内部に充填されたガスを排出させるバルブ部；および
前記バルブ部に備えられて前記本体の内部圧力に連動してガス流路を遮断するガス遮断部を含み；
前記ガス遮断部は前記バルブ部に備えられる遮断作動部；
前記遮断作動部にスライド移動可能に備えられて選択的に前記ガス流路を遮断する遮断ピン部材；および
前記遮断作動部に結合して前記遮断ピン部材の離脱を防止する離脱防止キャップを含むことを特徴とする、ガス容器の安全バルブ。
【請求項２】
前記遮断作動部は、ガスが流入するガス流入路と、大気が流入する大気流入路が形成され；
前記遮断ピン部材は前記ガス流入路と前記大気流入路を区画する密閉膜部を含むことを特徴とする、請求項１に記載のガス容器の安全バルブ。
【請求項３】
前記密閉膜部の端には前記ガス流入路側に延び、外部に拡張する気密向上片が形成されることを特徴とする、請求項２に記載のガス容器の安全バルブ。
【請求項４】
前記遮断作動部には、前記遮断ピン部材を前記ガス流入路側に弾性支持する弾性部材が備えられることを特徴とする、請求項２に記載のガス容器の安全バルブ。
【請求項５】
前記遮断ピン部材には、前記ガス流路から前記遮断作動部側にガスが流入することを防止する延長カバー部が備えられることを特徴とする、請求項２に記載のガス容器の安全バルブ。
【発明の詳細な説明】
【技術分野】
【０００１】
本発明はガス容器の安全バルブに関するものであって、より詳細には、本体の内部圧力と連動してガス流路を遮断することができるため、ガスレンジを消火させることができる、ガス容器の安全バルブに関するものである。
【背景技術】
【０００２】
一般的に、携帯用ガス容器は、液化石油ガスのうちブタンガスを主原料としたブタンガス混合物を充填して携帯用ガスレンジに使われる携帯用ブタンガス容器と、液化石油ガスなどを推進剤として使うヘアスプレー、殺虫剤、ラッカースプレーなどのエアロゾル容器が挙げられ、このような携帯用ガス容器は容器内のガス圧を利用して内容物を外部に噴出させるものであって、一定以上の圧力が常に作用している。
【０００３】
ブタンガス容器は、流通過程や使用中に周囲から高い熱を受けると、ブタンガス容器の内部に入っている液化ガスの圧力が上昇して爆発することになるが、特に携帯用ガスレンジに使われるブタンガス容器の場合、使用中に安全守則を守らずに変則的に使用したり、高温または一定以上の圧力が作用して内部圧力が高くなると、容器が変形したり破損し、酷い場合は爆発の可能性がある。
【０００４】
関連先行技術としては、特許文献１（大韓民国公開実用新案公報第２００５−００９２５２７号（２００５．０９．２２、発明の名称：携帯用ガス容器））がある。
【先行技術文献】
【特許文献】
【０００５】
【特許文献１】大韓民国公開実用新案公報第２００５−００９２５２７号
【発明の概要】
【発明が解決しようとする課題】
【０００６】
本発明の目的は、本体の内部圧力に連動してガス流路を遮断することによってガスレンジを消火させることができるため、安全事故を防止できるガス容器の安全バルブを提供することである。
【課題を解決するための手段】
【０００７】
本発明に係るガス容器の安全バルブは：本体の内部に充填されたガスを排出させるバルブ部及び前記バルブ部に備えられて前記本体の内部圧力に連動してガス流路を遮断するガス遮断部を含み、前記ガス遮断部は前記バルブ部に備えられる遮断作動部と、前記遮断作動部にスライド移動可能に備えられて選択的に前記ガス流路を遮断する遮断ピン部材および前記遮断作動部に結合して前記遮断ピン部材の離脱を防止する離脱防止キャップを含むことを特徴とする。
【０００８】
前記遮断作動部は、ガスが流入するガス流入路と、大気が流入する大気流入路が形成され、前記遮断ピン部材は前記ガス流入路と前記大気流入路を区画する密閉膜部を含むことを特徴とする。
【０００９】
また、前記密閉膜部の端には前記ガス流入路側に延び、外部に拡張される気密向上片が形成されることを特徴とする。
【００１０】
また、前記遮断作動部には前記遮断ピン部材を前記ガス流入路側に弾性支持する弾性部材が備えられることを特徴とする。
【００１１】
また、前記遮断ピン部材には、前記ガス流路から前記遮断作動部側にガスが流入することを防止する延長カバー部が備えられることを特徴とする。
【発明の効果】
【００１２】
本発明に係るガス容器の安全バルブは、ガスレンジの使用時に安全守則を守らずに変則的に使って本体の内部圧力が上昇すると、圧力と連動してガス流路を遮断できるようにすることによってガスレンジの火源を除去することができるため、ガス容器の爆発を防止できる効果がある。
【００１３】
また、本発明は大気流入路を通じての大気圧を利用して内部圧力に連動する構成によって、ガスレンジのガバナーに影響を与えることなく流路の遮断が可能であるため、作動信頼性を向上させることができる。
【図面の簡単な説明】
【００１４】
【図１】本発明の一実施例に係るガス容器の安全バルブが備えられたガス容器を示した斜視図。
【図２】本発明の一実施例に係るガス容器の安全バルブの分解斜視図。
【図３】本発明の一実施例に係るガス容器の安全バルブを示した断面図。
【図４】本発明の一実施例に係るガス容器の安全バルブの正常使用時を示した断面図。
【図５】本発明の一実施例に係るガス容器の安全バルブの流路の遮断を示した作動図。
【図６】本発明の一実施例に係るガス容器の安全バルブが備えられたガス容器のガス放出部の作動図。
【発明を実施するための形態】
【００１５】
以下、添付された図面を参照して本発明に係るガス容器の安全バルブの一実施例を説明する。
【００１６】
この過程において、図面に図示された線の太さや構成要素の大きさなどは、説明の明瞭性と便宜のために誇張して図示され得る。また、後述される用語は、本発明での機能を考慮して定義された用語であって、これは使用者、運用者の意図または慣例により変わり得る。したがって、このような用語についての定義は、本明細書全般にわたった内容に基づいて下されるべきである。
【００１７】
図１は本発明の一実施例に係るガス容器の安全バルブが備えられたガス容器を示した斜視図、図２は本発明の一実施例に係るガス容器の安全バルブの分解斜視図であり、図３は本発明の一実施例に係るガス容器の安全バルブを示した断面図、図４は本発明の一実施例に係るガス容器の安全バルブの正常使用時を示した断面図であり、図５は本発明の一実施例に係るガス容器の安全バルブの流路の遮断を示した作動図、図６は本発明の一実施例に係るガス容器の安全バルブが備えられたガス容器のガス放出部の作動図である。
【００１８】
図１〜図６を参照すると、本発明の一実施例に係るガス容器の安全バルブ１００は、バルブ部１１０およびガス遮断部１２０を含む。
【００１９】
まず、ガス容器１０は、本体１２、ドーム１４、上部キャップ１５で構成され、耐久性を有するように一定の厚さ以上の金属材質で構成される。そして、本体１２の上部にはドーム１４が結合し、ドーム１４の中央には上部キャップ１５が結合し、上部キャップ１５にガス容器の安全バルブ１００が備えられる。
【００２０】
バルブ部１１０は本体１２の内部に充填されたガスを排出させる。このようなバルブ部１１０は、上部キャップ１５に備えられて本体１２の内部と外部を連通させる流路が備えられるバルブハウジング１１２およびバルブハウジング１１２に備えられて選択的に本体１２の内部ガスを排出させるステム１１４を含む。
【００２１】
バルブハウジング１１２は上部キャップ１５に結合され、バルブハウジング１１２の中央にはステム１１４が備えられる。ステム１１４は、バルブハウジング１１２の内部空間で弾性部材１１６により弾性支持され、外縁を貫通するオリフィス１１５が形成される。そして、上部キャップ１５とバルブハウジング１１２の間には、オリフィス１１５を遮蔽するステムガスケット１１７がオリフィス１１５を塞いでいるいため、本体１２内のガスは外部に排出されない。ステム１１４が外力によって押されると、オリフィス１１５が開放されて本体１２のガスが外部に排出される。
【００２２】
ガス遮断部１２０は、バルブ部１１０に備えられて本体１２の内部圧力に連動してガス流路を遮断するものであって、バルブハウジング１１２のステム１１４を通じて外部に排出されるガスを遮断することができる。すなわち、排出されるガスを遮断して火源を除去する役割を遂行する。このようなガス遮断部１２０は、バルブ部１１０に備えられる遮断作動部１３０と、遮断作動部１３０にスライド移動可能に備えられて選択的にガス流路を遮断する遮断ピン部材１４０および遮断作動部１３０に結合されて遮断ピン部材１４０の離脱を防止する離脱防止キャップ１６０を含む。
【００２３】
遮断作動部１３０はバルブハウジング１１２に一体に形成される。すなわち、バルブハウジング１１２の射出時に遮断作動部１３０も一体に射出形成される。そして、遮断作動部１３０は、ガスが流入するガス流入路１３２と、大気が流入する大気流入路１３４が形成される。すなわち、図２と図３に図示されたように、バルブハウジング１１２は、ステム１１４が備えられる垂直部と垂直部から一側に屈折して延びる水平部で構成され、遮断空間部は垂直部と水平部の内側の間に形成される。
【００２４】
そして、水平部と並んでガス流入路１３２が形成され、垂直部と並んで大気流入路１３４が形成される。大気流入路１３４は上部キャップ１５に延びて大気に貫通され、大気流入路１３４の上端には大気ガスケット１３５が備えられる。
【００２５】
遮断ピン部材１４０はガス流入路１３２で移動可能に備えられ、ガス流入路１３２と大気流入路１３４を区画する密閉膜部１４２が備えられる。密閉膜部１４２を基準として大気圧力とガス圧力が維持されると、遮断ピン部材１４０の位置が維持され、ガスレンジの変則的な使用により本体１２内に過圧が発生すると、ガス流入路１３２を通じてガス圧力が伝達されて遮断ピン部材１４０を移動させる。遮断ピン部材１４０の移動によって遮断ピン部材１４０の先端がバルブハウジング１１２のガス流路を遮断することができる。
【００２６】
密閉膜部１４２の端には、ガス流入路１３２側に延び、外部に拡張する気密向上片１４４が形成される。このような気密向上片１４４の構造は、ガスによって加圧力が発生した時に外側に広がることができるため、ガス流入路１３２の内面にさらに密着することができ、気密性を向上させることができる。
【００２７】
遮断作動部１３０には、遮断ピン部材１４０をガス流入路１３２側に弾性支持する弾性支持部材１５０が備えられる。弾性支持部材１５０は大気圧と共に平常時の本体１２の内部ガス圧力と同一に維持する役割をし、過圧発生時に収縮し、過圧が解除された時に遮断ピン部材１４０の位置を復元させてバルブハウジング１１２のガス流路を開放する役割をする。
【００２８】
遮断ピン部材１４０は、ガス流路から遮断作動部１３０側にガスが流入することを防止する延長カバー部１４５を含む。延長カバー部１４５は図３に図示されたように、遮断ピン部材１４０の先端部に管状に形成されてガス流路と遮断作動部１３０の空間を連結通路の内側面に接するように形成される。これは、ガス流路に案内されるガスが連結通路と大気流入路１３４を通じて外部に漏洩することを防止することができる。
【００２９】
以下、前記した構造を有する本発明の一実施例に係るガス容器の安全バルブの作用および効果を説明する。
【００３０】
ガス容器１０をガスレンジに装着させた後にガスレンジの作動片を作動させると、図４に図示されたように、バルブ部１１０のステム１１４が押されると共に、本体１２に充填されたガスはステム１１４を通じて外部に排出される。より詳しくは、ステム１１４の移動により、ステムガスケット１１７によって遮断されていたオリフィス１１５が開放されることによってバルブハウジング１１２を通じて本体１２の内部ガスが外部に排出されて火源として使われる。
【００３１】
このような携帯用ガスレンジを使用するにおいて、安全守則を守らず、変則的に使って本体１２の温度が上昇し、内部に過圧が発生すると、本体１２が爆発し得る危険に晒されるが、ガス容器の安全バルブ１００によりこれを防止することができる。
【００３２】
まず、図３に図示されたように、遮断作動部１３０に備えられる遮断ピン部材１４０は、密閉膜部１４２を基準として、一側は大気圧と弾性支持部材１５０の弾性力によって支持され、他側は本体１２の内部ガス圧力によって支持された状態である。このような状態で、変則的な使用により本体１２の内部温度が上昇して本体１２の内部に過圧が発生すると、図５に図示されたように、ガス圧力が大気圧と弾性支持部材１５０の弾性力よりも高くなって遮断ピン部材１４０を移動させることによって、遮断ピン部材１４０の先端が連結通路を通過してガス流路を遮断する。これによって、ステム１１４を通じてのガス排出を遮断することができるため、ガスレンジの火は消火される。
【００３３】
この時、密閉膜部１４２の端には外部に拡張する気密向上片１４４が備えられて遮断ピン部材１４０の移動時にガス圧力を正確に受けることができ、密閉力が向上して作動信頼性を向上させることができる。
【００３４】
前記した通り、ガスレンジの火が消火されると、本体１２の温度が下がり、これによって過圧が解除されると、弾性支持部材１５０と大気流入部１３４を通じて流入する大気圧によって遮断ピン部材１４０は最初の位置に復元される。
【００３５】
この時、遮断ピン部材１４０は連結通路の内側面に接する延長カバー部１４５を具備することによって、ガスが大気流入部１３４を通じて外部に漏洩することを防止することができる。
【００３６】
一方、調理器具の輻射熱によって２次的な追加の温度上昇と過圧が発生すると、図６に図示されたように、ドーム１４の縁が過圧により膨らむように変形されながら、パターン溝部２２からなるガス放出部２０が破裂して過圧ガスが外部に放出される。これによって本体１２が爆発することを防止することができる。そして、すでにガス容器の安全バルブ１００によりガスレンジの火源が除去された状態であるため、火炎から使用者を保護することができる。
【００３７】
パターン溝部２２は、過圧により破裂する第１溝２３と、第１溝２３の破裂を倍加させる第２溝２４で構成されて信頼性のある作動を可能とする。すなわち、第２溝２４により第１溝２３側に、より多くの応力が作用してより広い範囲に拡張され得るため破裂が倍加される。
【００３８】
したがって、ガス容器１０の変則的な使用によって本体１２の内部温度が上昇し、過圧が発生すると、一次的にガス容器の安全バルブ１００によりガスレンジの火源を除去することができ、調理器具の輻射熱によって温度上昇と過圧が発生すると、２次的にドーム１４が膨張して膨らむように変形され、ドーム１４の変形によって第１溝２３が破裂することによって、ガス容器１０が爆発する事故を防止することができる
【００３９】
前記した通り、本発明の一実施例に係るガス容器の安全バルブによると、ガスレンジの使用時に安全守則を守らずに変則的に使って本体の内部圧力が上昇すると、圧力と連動してガス流路を遮断できるようにすることによってガスレンジの火源を除去することができるためガス容器の爆発を防止することができ、大気流入路を通じての大気圧を利用して内部圧力に連動する構成によってガスレンジのガバナーに影響を与えることなく流路を遮断することができるため、作動信頼性を向上させることができる。
【００４０】
本発明は、図面に図示された実施例を参照して説明されたが、これは例示的なものに過ぎず、当該技術が属する分野で通常の知識を有する者であれば、これから多様な変形および均等な他の実施例が可能であることが理解できるはずである。
【００４１】
したがって、本発明の真の技術的保護範囲は特許請求の範囲によって定められるべきである。
【図１】
2019510181.tif 000003
【図２】
2019510181.tif 000004
【図３】
2019510181.tif 000005
【図４】
2019510181.tif 000006
【図５】
2019510181.tif 000007
【図６】
2019510181.tif 000008
【国際調査報告】
2019510181.tif 000009
2019510181.tif 000010
2019510181.tif 000011
2019510181.tif 000012